(57)【要約】【課題】  共鳴胴を持たない電気弦楽器による弦楽器音を、通常のアコースティック弦楽器による楽器音に近づける。【解決手段】  電気弦楽器は、弦１４を駒１２を介して支持する胴１１と、駒１２の近傍位置であって弦１４から伝搬した振動をピックアップするピックアップセンサ１６とを備えている。板ばねで構成した駒支持部材１３は、胴１１に固定されて駒１２を弾性的に支持する。板ばね１７及び錘１８からなるダンパが、駒支持部材１３に固定されている。【選択図】  図１
2014137418.tif 000002
【特許請求の範囲】
【請求項１】
演奏操作により振動する弦と、
前記弦を駒を介して支持する胴と、
前記駒の近傍位置であって前記弦の振動によって振動する部分に組付けられて、前記弦から伝搬した振動をピックアップして電気信号を出力するピックアップセンサとを備えた電気弦楽器において、
前記胴に対して前記駒をばね構造により支持する駒支持部材と、
前記駒の近傍位置であって前記弦の振動によって振動する部分に組付けられて、前記駒の振動を減衰させるダンパとを設けたことを特徴とする電気弦楽器。
【請求項２】
前記駒支持部材は、前記胴に一端又は両端を固定させた板ばねである請求項１に記載の電気弦楽器。
【請求項３】
前記駒支持部材は、前記胴と前記駒との間に挟み込まれた弾性部材である請求項１に記載の電気弦楽器。
【請求項４】
前記駒支持部材は、前記胴との間に空間を設けて前記胴と一体形成された薄肉の板状部材である請求項１に記載の電気弦楽器。
【請求項５】
前記ピックアップセンサを、前記駒及び前記ダンパの一方又は両方に設けた請求項１乃至４のうちのいずれか一つに記載の電気弦楽器。
【発明の詳細な説明】
【技術分野】
【０００１】
本発明は、駒を介して胴に支持された弦から伝播する振動をピックアップして出力する電気弦楽器に関する。
【背景技術】
【０００２】
従来から、ピックアップセンサによって弦の振動をピックアップして、弦楽器音を発生する電気弦楽器はよく知られている。例えば、下記特許文献１には、駒（ブリッジ）を介して弦を支持する胴（ボディ）を複数の層材を積層して構成するとともに、複数の層材間に粘着層を介装することにより、弦の振動が胴の振動を介して空気中に音として放射されるエネルギーを充分に抑えて、空気中に放音される音を弱音化（消音化）するようにした電気弦楽器としての電気バイオリンが示されている。
【０００３】
また、下記特許文献２には、剛体上に高さ調節機構を介して、剛性ベース支持体、駒懸架装置、スパン及び駒クラウンを一体的に形成した部材を載置し、駒クラウンで弦を支持し、かつ剛性ベース支持体とスパンとの間に圧電素子からなるピックアップを設けるようにした電気弦楽器が示されている。この電気弦楽器においては、駒懸架装置は柔軟に構成されている。そして、この電気弦楽器においては、柔軟な駒懸架装置を用いて弦振動とピックアップとの間におけるエネルギーの伝搬を行うことにより、ピックアップによって変換された電気信号に基づく楽器音をアコースティック弦楽器に近い音に近づけるようにしている。
【先行技術文献】
【特許文献】
【０００４】
【特許文献１】特開２０１１−１９７３２５号公報
【特許文献２】特開昭６０−１５４２９９号公報
【発明の概要】
【０００５】
上記特許文献１に示された電気弦楽器においては、前述のように、充分な弱音化を図れるが、胴が高い剛性を有する部材で構成されているために、弦の振動エネルギーが長く弦に残り、弦の振動の減衰が遅く、通常のアコースティック弦楽器の演奏者にとっては違和感があるという問題がある。また、前記胴の構成のために、通常のアコースティック弦楽器に存在する、駒から胴側を見た胴の主要な共振が存在しないか、存在しても極めて小さく、かつ共振周波数もずれている。これにより、この従来の電気弦楽器においては、音高に対する音量の違い、音質、及び減衰特性が、通常のアコースティック弦楽器とはかけ離れており、通常のアコースティック弦楽器の演奏性及び表現力を得ることができないという問題もある。
【０００６】
また、上記特許文献２に示された電気弦楽器においては、前述のように、ピックアップによって変換された電気信号に基づく楽器音をアコースティック弦楽器の音に近づけるように工夫されているが、より具体的に実際のアコースティック弦楽器がもつ共振周波数、共振レベルなどの振動特性に近づける工夫は見られない。
【０００７】
本発明は、上記問題を解決するためになされたもので、その目的は、共鳴胴を持たない電気弦楽器による弦楽器音における、音高に対する音量の違い、音質、音の減衰などの弦楽器音の特性を、通常のアコースティック弦楽器の音により近づけて、演奏性及び演奏による表現力の向上を図るようにした共鳴胴を持たない電気弦楽器を提供することにある。なお、下記本発明の各構成要件の記載においては、本発明の理解を容易にするために、後述する実施形態の対応箇所の符号を括弧内に記載しているが、本発明の各構成要件は、この実施形態の符号によって示された対応箇所の構成に限定解釈されるべきものではない。
【０００８】
上記目的を達成するために、本発明の構成上の特徴は、演奏操作により振動する弦（１４）と、弦を駒（１２）を介して支持する胴（１１）と、駒の近傍位置であって弦の振動によって振動する部分に組付けられて、弦から伝搬した振動をピックアップして電気信号を出力するピックアップセンサ（１６）とを備えた電気弦楽器において、胴に対して駒をばね構造により支持する駒支持部材（１３，４１，４２，４３，４４，４５）と、駒の近傍位置であって弦の振動によって振動する部分に組付けられて、駒の振動を減衰させるダンパ（１７，１８，４６，４７）とを設けたことにある。
【０００９】
この場合、駒支持部材（１３）は、例えば、胴に一端又は両端を固定させた板ばねである。また、駒支持部材（４３）は、胴と駒との間に挟み込まれた弾性部材であってもよい。また、駒支持部材（４４，４５）は、胴との間に空間を設けて胴と一体形成された薄肉の板状部材であってもよい。さらに、駒支持部材（４１，４２）は、剛性の高い板状部材と、板状部材を胴の上面に支持するコイルばねであってもよい。
【００１０】
また、ダンパ（１７，１８，４６，４７）は、例えば、弾性部材と弾性部材に固定された錘とで構成される。具体的な一例としては、駒又は駒支持部材に一端が固定された板ばね（１７）と、板ばねに固定された錘（１８）とで構成するとよい。
【００１１】
また、ピックアップセンサ（１６）は、例えば、駒（１２）及びダンパ（１７，１８，４６，４７）の一方又は両方に設けられるようにするとよい。
【００１２】
上記のように構成した本発明においては、駒支持部材により、通常のアコースティック弦楽器の表板の振動特性（共振特性）が実現される。また、ダンパにより、通常のアコースティック弦楽器のサウンドホール周辺及び胴内の空気の振動特性（反共振特性）が実現される。その結果、本発明によれば、胴を高い剛性を有する部材で構成し、かつ共鳴胴を有さない電気弦楽器においても、通常のアコースティック弦楽器の振動特性、すなわち２つのピークと１つのディップを有する振動特性が実現され、音高に対する音量の違い、音質、音の減衰などの弦楽器音の特性を、通常のアコースティック弦楽器により近づけて、演奏性及び演奏による表現力の向上を図ることができる。
【図面の簡単な説明】
【００１３】
【図１】本発明の基本的構成例を示す電気弦楽器における弦の支持部分を示す概略側面図である。
【図２】(Ａ)は堅い裏板と側面を持つ通常のアコースティックギターの運動を表す２質量モデルを示す図であり、(Ｂ)は前記２質量モデルの等価電気回路図である。
【図３】(Ａ)は図２(Ｂ)における空気に関する要素を除外して表板に関する要素だけを取り出した場合の等価電気回路図であり、(Ｂ)は前記(Ａ)の等価電気回路の周波数特性を示すグラフである。
【図４】(Ａ)は図２(Ｂ)における表板に関する要素を除外して空気に関する要素だけを取り出した場合の等価電気回路図であり、(Ｂ)は前記(Ａ)の等価電気回路の周波数特性を示すグラフである。
【図５】(Ａ)は図３(Ａ)の等価電気回路と図４(Ａ)の等価電気回路とを合成した等価電気回路図であり、(Ｂ)は前記(Ａ)の等価電気回路の周波数特性を示すグラフである。
【図６】図５(Ａ)の等価電気回路を純機械要素のみの構成として表現した振動モデルを示す図である。
【図７】本発明の具体的実施形態に係る電気ギターの上面図である。
【図８】図７から胴枠を外した状態の電気ギターの側面図（図７の下方から見た側面図）である。
【図９】図７の９−９線に沿って見た電気ギターの部分拡大断面図である。
【図１０】図７の１０−１０線に沿って見た電気ギターの部分拡大断面図である。
【図１１】図７及び図８の胴部分の拡大斜視図である。
【図１２】図７及び図８の駒支持部材を胴から外して示す拡大斜視図である。
【図１３】図７及び図８の駒支持部材を胴から外して下方から見て示す拡大斜視図である。
【図１４】変形例に係る電気弦楽器の弦の支持部分を示す概略側面図である。
【図１５】他の変形例に係る電気弦楽器の弦の支持部分を示す概略側面図である。
【図１６】他の変形例に係る電気弦楽器の弦の支持部分を示す概略側面図である。
【図１７】(Ａ)は他の変形例に係る電気弦楽器の弦の支持部分を示す概略上面図であり、(Ｂ)は(Ａ)の概略側面図であり、(Ｃ)は(Ａ)のＣ−Ｃ線に沿って見た概略断面図である。
【図１８】(Ａ)は図１７の電気弦楽器を変形した弦の支持部分を示す概略上面図であり、(Ｂ)は(Ａ)の概略側面図であり、(Ｃ)は(Ａ)のＣ−Ｃ線に沿って見た概略断面図である。
【図１９】他の変形例に係る電気弦楽器の弦の支持部分を示す概略側面図である。
【図２０】他の変形例に係る電気弦楽器の弦の支持部分を示す概略側面図である。
【図２１】他の変形例に係る電気弦楽器の弦の支持部分を示す概略側面図である。
【発明を実施するための形態】
【００１４】
ａ．基本的構成例
まず、本発明の基本的構成例を示す電気弦楽器について説明する。図1は、この電気弦楽器における弦の支持部分を示す概略側面図である。
【００１５】
この電気弦楽器は、高い剛性を有する木製の胴（ボディ）１１を備えている。胴１１上には、駒（ブリッジ）１２をばね構造により支持する駒支持部材１３が組付けられている。駒支持部材１３は、弾性を有する金属板で弦１４の延設方向に長尺状に形成した板ばねであり、その両端部が同一方向（図示下方）にほぼ直角に折り曲げられている。駒支持部材１３は、その両端にて胴１１上に固定されている。駒１２は、弦１４の延設方向とは直角方向に延設された長尺状の部材（例えば、木製部材、樹脂部材など）であって、駒支持部材１３上に固定されている。駒１２上には、樹脂、象牙などにより構成されたサドル１５が固定されている。サドル１５は、弦１４をその上端部にて支持し、弦１４の一端は駒１２に固定されている。
【００１６】
サドル１５と駒１２の間には、ピックアップセンサ１６が組付けられている。ピックアップセンサ１６は、弦１４から伝搬した振動をピックアップして電気信号を出力するものであり、例えば圧電センサによって構成されている。駒支持部材１３の下面には、胴１１の上方位置にて、板ばね１７及び錘１８からなるダンパが設けられている。板ばね１７は、弾性を有する金属板で弦１４の延設方向に長尺状に形成されている。板ばね１７は、その一端部がほぼ直角（図示上方）に折り曲げられ、一端部にて駒支持部材１３の下面に固定されている。錘１８は、板ばね１７の他端部に固定されている。この基本的構成例では、錘１８を板ばね１７の下面に固定したが、錘１８を板ばね１７の上面に固定するようにしてもよい。このように構成されたダンパは、所定周波数の振動を減衰させる。
【００１７】
このように構成した電気弦楽器において、駒１２の周辺の質量は、音色を模倣したいアコースティック弦楽器における駒周辺の質量、すなわち駒と駒が組付けられている表板周辺の部材の質量にほぼ合わせられている。また、駒支持部材１３のばね性（ばね定数）は、音色を模倣したいアコースティック弦楽器における駒周辺の表板がもつばね性にほぼ合わせられている。駒１２及び駒支持部材１３による損失分は、それぞれに適正な定数を与え、音色を模倣したいアコースティック弦楽器における駒周辺の構造による損失分にほぼ合わせられている。なお、前記損失分及び以下の説明における損失分とは、物質（部材、空気粒子など）の移動に伴う摩擦によって熱エネルギーに変換されたり、音響放射によって音響エネルギーに変換されたりして、振動系から損失するエネルギーの量を意味する。板ばね１７及び錘１８からなるダンパのばね性、質量及び損失分は、音色を模倣したいアコースティック弦楽器における胴内空気のばね性、サウンドホール周辺の空気の質量、及び同空気による損失分にそれぞれほぼ合わせられている。
【００１８】
これにより、前記構成の電気弦楽器においては、振動する弦１４により加振される駒１２の振動特性は、音色を模倣したいアコースティック弦楽器とほぼ同じになり、演奏によって振動する弦１４と駒１２とのエネルギーの伝搬も、音色を模倣したいアコースティック弦楽器とほぼ同じになる。その結果、音高に対する音量、音質、及び減衰特性が、模倣したいアコースティック弦楽器とほぼ同じとなり、これらの特性は、ピックアップセンサ１６によって変換された電気信号に基づく楽器音に現れるので、共鳴胴をもたない弦楽器においても、共鳴胴がある楽器のような表現力や演奏性を得ることができる。なお、この特性は、共鳴胴をもたない弦楽器であるために音量は小さいが、直接空気を介して聞こえてくる音にも現れる。
【００１９】
ここで、前述した駒１２の周辺の質量、駒支持部材１３のばね性、駒１２及び駒支持部材１３による損失分、並びに板ばね１７及び錘１８からなるダンパのばね性、質量及び損失分の設定について質量モデル及び等価電気回路を用いて説明しておく。図２(Ａ)は堅い裏板と側面を持つ通常のアコースティックギターの運動を表す２質量モデルを示した図である。この図２(Ａ)において、Ｆ(ｔ)は表板に加わる駆動力の大きさを表し、ｍpは表板の質量を表し、Ｋｐは表板のばね定数を表し、ｍｈはサウンドホール周辺の空気の質量を表し、Ｖは胴の容積を表している。
【００２０】
この図２(Ａ)の２質量モデル図を等価電気回路図で表すと、図２(Ｂ)に示すようになる。図２(Ｂ)において、Ｆ(ｔ)は交流電源の電圧の振幅を表す。Ｍｐは表板の質量ｍpに対応したコイルのインダクタンスを表し、Ｃｐは表板のばね定数Ｋｐの逆数であるばねコンプライアンスに対応したコンデンサのキャパシタンスを表し、Ｒｐは表板による損失分に対応した抵抗の大きさを表す。これらのインダクタンスＭｐ、キャパシタンスＣｐ及び抵抗の大きさＲｐは、表板に関する要素であり、例えば、それぞれ０．１８Ｈ、５μＦ、４Ωである。Ｍｈはサウンドホール周辺の空気の質量ｍｈに対応したコイルのインダクタンスを表し、Ｒｈはサウンドホール周辺の空気による損失分に対応した抵抗の大きさを表し、Ｃｖは胴内の空気のばね定数の逆数であるばねコンプライアンスに対応したコンデンサのキャパシタンスを表し、Ｒｖは胴内の空気による損失分に対応した抵抗の大きさを表す。これらのインダクタンスＭｈ、抵抗の大きさＲｈ、キャパシタンスＣｖ及び抵抗の大きさＲｖは、空気に関する要素であり、例えば、それぞれ０．０８Ｈ、１Ω、２０μＦ、０．１Ωである。また、Ｕｐ，Ｕｈ，Ｕｖは速度に対応した電流を表す。
【００２１】
空気に関する要素Ｍｈ，Ｒｈ，Ｃｖ，Ｒｖを除外して、表板に関する要素Ｍｐ，Ｃｐ，Ｒｐだけを取り出してみると、等価電気回路は図３(Ａ)に示すようになる。この等価電気回路の周波数特性を示すと、図３(Ｂ)に示すようになる。これによれば、通常のアコースティックギターにおいて、表板により、１７０Ｈｚ付近に1つの大きな共振のピークが現れることが分かる。また、表板に関する要素Ｍｐ，Ｃｐ，Ｒｐを除外して、空気に関する要素Ｍｈ，Ｒｈ，Ｃｖ，Ｒｖだけを取り出してみると、等価電気回路は図４(Ａ)に示すようになる。この等価電気回路の周波数特性を示すと、図４(Ｂ)に示すようになる。これによれば、通常のアコースティックギターにおいて、サウンドホール周辺及び胴内の空気により、１２５Ｈｚ付近に1つの大きな反共振（ヘルムホルツ共鳴）のディップが現れることが分かる。これらの図３(Ａ)及び図４(Ａ)の等価電気回路を合成すると、等価電気回路は図５(Ａ)（図２(Ｂ)と同じ）に示すようになる。この等価電気回路の周波数特性を示すと、図５(Ｂ)に示すようになる。これによれば、通常のアコースティックギターにおいて、駒付近の振動周波数特性は、１１０Ｈｚ付近及び２００Ｈｚ付近に２つの共振のピークが現れるとともに、１２５Ｈｚ付近に反共振のディップが現れることが分かる。
【００２２】
次に、図５(Ａ)の等価電気回路に対応した純機械要素のみからなる振動モデルを想定すると、この振動モデルは図６のように表される。この振動モデルは、図１に示した電気弦楽器における弦の支持部分に対応している。図６において、Ｍｐ’は駒支持部材（板ばね）１３と駒１２の質量に対応し、Ｋｐ’は駒支持部材１３のばね定数に対応し、Ｒｐ’は駒支持部材１３による損失分に対応し、Ｆ(ｔ)’は弦による加振力に対応する。これにより、通常のアコースティック弦楽器（アコースティックギター）の表板の振動特性（共振特性）が、駒支持部材１３によりシミュレートされ得る。また、Ｍｈ’はダンパを構成する板ばね１７及び錘１８の質量に対応し、Ｋｖ’は板ばね１７のばね定数に対応し、Ｒｖ’は板ばね１７による損失分に対応し、Ｒｈ’は錘１８による損失分に対応する。これにより、通常のアコースティック弦楽器（アコースティックギター）のサウンドホール周辺及び胴内の空気の振動特性（反共振特性）が板ばね１７及び錘１８からなるダンパによりシミュレートされ得る。
【００２３】
このシミュレーションにおいては、駒支持部材１３及び板ばね１７の質量、ばね定数、大きさなどの各種要素、駒１２及び錘１８の質量を、所望のアコースティック弦楽器の特性に合わせて適宜設定する。その結果、胴１１を高い剛性を有する部材で構成し、かつ共鳴胴を有さない電気弦楽器においても、ばね構造である駒支持部材１３、並びに板ばね１７及び錘１８からなるダンパを設けることにより、すなわち図１の基本的構成により、アコースティック弦楽器の振動特性を実現できる。
【００２４】
ｂ．具体的実施形態
次に、上述した図１の基本的構成を備えた電気弦楽器の具体的実施形態について、電気ギターを例にして説明する。図７は電気ギターの上面図であり、図８は図７の電気ギターから胴枠を外した状態の側面図（図７の下方から見た側面図）であり、図９は図７の９−９線に沿って見た電気ギターの部分拡大断面図であり、図１０は図７の１０−１０線に沿って見た電気ギターの部分拡大断面図である。
【００２５】
電気ギターは、胴（ボディ）１１及びネック２１を備えるとともに、胴１１の上面に固定された駒支持部材１３及び駒１２（ブリッジ）と、ネック２１の端部に設けたヘッド２２との間に張設された複数の弦１４を備えている。胴１１は、上面から見て略長方形状の長尺状の厚みのある木製部材であり、音響振動するものではなくて剛性の高い部材である。ネック２１は、胴１１と一体形成されて延設されており、上面に指板を形成している。ヘッド２２は、ネック２１と一体形成されている。複数の弦１４は、両端部にて駒１２に固定されたサドル１５及びネック２１の端部に設けたナット２３により支持され、それらの両端は駒１２及び糸巻２４にそれぞれ固定されている。
【００２６】
胴１１の下面には凹部１１ａが形成され、薄肉のカバー２５がねじ３１により胴１１の下面に固定されており、カバー２５内部には空間が形成されている。この空間内には、図示しない電気回路が配設され、カバー２５の外側面には前記電気回路への接続端子、前記電気回路を操作するための操作子などが設けられている。胴１１及びネック２１の両側には、胴枠２６，２７が設けられている。胴枠２６，２７は、金属、樹脂、木などを薄板状かつ湾曲されて形成されており、胴１１及びネック２１の側面に設けた穴１１ｂ，２１ａに両端をそれぞれ挿入して、胴１１及びネック２１に組付けられている。
【００２７】
次に、駒支持部材１３部分について、図１１の胴１１部分の拡大斜視図及び図１２の駒支持部材１３を胴１１から外して示す拡大斜視図を用いて詳しく説明する。駒支持部材１３は、金属製の板ばねからなり、板ばねの長手方向の両端部をそれぞれ鉤状（Ｌ字状）に曲げて、両端部にてねじ３２により胴１１の上面に固定されている。駒支持部材１３の長手方向中央部の上面上には、木製又は樹脂製の駒１２がねじ３３により固定されている。駒１２の上面には方形状のスリット１２ａが設けられ、スリット１２ａには樹脂製、象牙製などのサドル１５が挿入されて固着されている。このスリット１２ａの底面すなわちサドル１５と駒１２の間には圧電素子からなるピックアップセンサ１６（図９参照）が配設されている。ピックアップセンサ１６は、サドル１５及び駒１２を介して伝達される振動をピックアップして電気信号に変換し、前記電気回路装置に出力する。
【００２８】
駒支持部材１３の下面には、図１３の駒支持部材１３を胴から外して下方から見て示す拡大斜視図に示すように、金属製の板ばね１７及び錘１８からなるダンパが組付けられている。板ばね１７は、一方の端部をＵ字状に折り返し、折り返し部分にてねじ３４により駒支持部材１３に固定されている。板ばね１７の下面には、錘１８が固着されている。なお、錘１８を板ばね１７の上面に固定するようにしてもよい。
【００２９】
このように構成した具体的実施形態に係る電気ギターにおいても、前記基本構成例の場合と同様に、駒支持部材１３により、アコースティックギターの表板の振動特性（共振特性）が実現される。また、板ばね１７及び錘１８からなるダンパにより、アコースティックギターのサウンドホール周辺及び胴内の空気の振動特性（反共振特性）が実現される。その結果、この具体的実施形態に係る電気ギターにおいても、上述したように、音高に対する音量、音質、及び減衰特性が、アコースティックギターとほぼ同じとなり、これらの特性は、ピックアップセンサ１６によって変換された電気信号に基づく楽器音に現れるので、共鳴胴があるアコースティックギターのような表現力や演奏性を得ることができる。
【００３０】
ｃ．変形例
さらに、本発明の実施にあたっては、上記基本的構成例及び具体的実施形態に限定されるものではなく、本発明の目的を逸脱しない限りにおいて種々の変更が可能である。
【００３１】
上記具体的実施形態においては、電気ギターに本発明に係る基本的構成を適用した例について説明したが、前記基本的構成は、電気ギター以外の他の電気弦楽器にも適用されるものである。
【００３２】
また、上記基本的構成例及び具体的実施形態においては、駒１２を支持する駒支持部材１３の両端部を胴１１に固定するようにした。しかし、これに代えて、図１４に示すように、駒支持部材１３の一端のみを胴１１に固定、すなわち駒支持部材１３を胴１１に片持ち構造にするようにしてもよい。これによっても、駒支持部材１３は振動可能であるので、上記基本的構成例及び具体的実施形態の場合と同様な効果が期待される。
【００３３】
また、上記基本的構成例及び具体的実施形態においては、駒１２を支持する駒支持部材１３を板ばねで構成した。しかし、これに代えて、図１５に示すように、駒支持部材を剛性の高い板材４１と、板材４１の下面に固定されて板材４１を支持する複数のコイルばね４２で構成するようにしてもよい。すなわち、複数のコイルばね４２の下端を胴１１上に固定するとともに、複数のコイルばね４２の上端を板材４１の下面に固定し、板材４１の上面に駒１２を固定するようにしてもよい。これによっても、板材４１は、コイルばね４２によって振動可能であるので、上記基本的構成例及び具体的実施形態の場合と同様な効果が期待される。
【００３４】
また、上記基本的構成例及び具体的実施形態における板ばねからなる駒支持部材１３に代えて、図１６に示すように、胴１１と駒１２との間に挟み込まれたゴム、樹脂などの弾性部材（弾性材料）からなる駒支持部材４３を用いるようにしてもよい。すなわち、弾性部材からなる駒支持部材４３を胴１１の上面に固定するとともに、この駒支持部材４３上に駒１２を固定するようにしてもよい。この場合、板ばね１７及び錘１８からなるダンパに関しては、駒支持部材４３に組付けることも可能であるが、駒支持部材４３は変形するので、駒１２に組付けるようにすることが好ましい。これによっても、駒１２は、弾性部材である駒支持部材４３を介して胴１１に振動可能に支持されるので、上記基本的構成例及び具体的実施形態の場合と同様な効果が期待される。なお、前記板ばね１７及び錘１８からなるダンパを駒１２に組付けることは、上記基本的構成例、具体的実施形態及び前記変形例の場合にも適用できるものである。
【００３５】
また、上記基本的構成例及び具体的実施形態における板ばねからなる駒支持部材１３に代えて、図１７(Ａ)(Ｂ)(Ｃ)に示す構造により駒１２を支持するように変形することもできる。すなわち、駒１２の下側位置にて、木製の胴１１内に弦１４の延設方向に沿って延びた方形状のスリット（空間）１１ｃを設けるとともに、スリット１１ｃにおける弦１４と直交する方向の両側を胴１１の上方に開口させる。そして、スリット１１ｃの上方に位置する胴１１の厚さを薄くして上下振動可能とする。言い換えれば、この厚さを薄くした胴１１の部分が上記基本的構成例及び具体的実施形態における板ばねからなる駒支持部材１３に代わる駒支持部材４４として機能し、駒１２は駒支持部材４４によるばね構造によって振動可能に支持されることになる。この場合も、板ばね１７及び錘１８からなるダンパは、駒１２に組付けられているが、駒支持部材４４の上面又は下面に組付けてもよい。これによっても、駒１２は、弾性部材である駒支持部材４４を介して胴１１に振動可能に支持されるので、上記基本的構成例及び具体的実施形態の場合と同様な効果が期待される。
【００３６】
また、図１７の電気弦楽器をさらに変形して、図１８(Ａ)(Ｂ)(Ｃ)に示すように、図１７のスリット１１ｃに代えて、胴１１の側面に開口させたスリット１１ｄを設けるようにしてもよい。すなわち、駒１２の下側位置にて、木製の胴１１内に弦１４の延設方向に沿って延びた方形状のスリット（空間）１１ｄを設けるとともに、スリット１１ｄにおける弦１４と直交する方向の両側のうちの一方を胴１１の側方に開口させる。また、スリット１１ｄにおける弦１４と直交する方向の両側を胴１１の側方に開口させてもよい。そして、この場合も、スリット１１ｄの上方に位置する胴１１の厚さを薄くして上下振動可能として、この胴１１の部分を上記基本的構成例及び具体的実施形態における板ばねからなる駒支持部材１３に代わる駒支持部材４５として機能させる。これによっても、駒１２は駒支持部材４５によるばね構造によって振動可能に支持され、上記基本的構成例及び具体的実施形態の場合と同様な効果が期待される。なお、この場合も、板ばね１７及び錘１８からなるダンパは、駒１２に組付けられているが、駒支持部材４５の上面又は下面に組付けてもよい。
【００３７】
また、上記基本的構成例及び具体的実施形態においては、ダンパを板ばね１７と錘１８とにより構成した。しかし、これに代えて、図１９に示すように、ダンパをゴム、樹脂などの弾性部材（弾性材料）４６と、錘４７とで構成したダンパを用いるようにしてもよい。すなわち、錘４７を下面に固定した弾性部材４６を駒支持部材１３の下面に固定するようにしてもよい。これによっても、錘４７は弾性部材４６によって駒支持部材１３に振動可能に支持されるので、上記基本的構成例及び具体的実施形態の場合と同様な効果が期待される。なお、この弾性部材４６と錘４７とからなるダンパを前記各種変形例に適用することも可能である。また、ダンパは上記基本的構成例及び具体的実施形態の場合と同様な効果が期待されるものであれば何でもよい。
【００３８】
上記基本的構成例及び具体的実施形態においては、ダンパにおいて、錘１８を板ばね１７に固定するようにした。しかし、これに代えて、図２０に示すように、錘１８の板ばね１７に対する位置を変更可能に錘１８を板ばね１７に組付けておき、適宜、錘１８の位置を変更するようにしてもよい。これによれば、共振周波数、共振の大きさなどが変更され、ギター、バイオリン、チェロ、琴などの種々のアコースティック弦楽器の響板の振動特性（共振特性）、並びにサウンドホール周辺及び胴内の空気の振動特性（反共振特性）を模倣でき、一種類の電気弦楽器で種々のアコースティック弦楽器の演奏を楽しめるようになる。例えば、前述した２００Ｈｚ付近で共振する振動特性を、２６０Ｈｚ付近で共振する振動特性に変更すれば、ウクレレのような響きの弦楽器音を得ることもできる。なお、この錘１８の板ばね１７に対する位置を変更可能とすることも、前記各種変形例に適用可能である。
【００３９】
また、上記基本的構成例及び具体的実施形態においては、ダンパにおいて、１つの錘１８を板ばね１７に固定するようにしたが、図２１に示すように、板ばね１７に２つの錘１８，４８を固定するようにしてもよいし、３つ以上の錘を固定するようにしてもよい。また、２つ以上のダンパを駒支持部材１３や駒１２の近傍位置に固定するようにしてもよい。これによれば、ダンパの数やダンパに固定される錘の数に応じて振動特性の反共振点（ディップ）の数が増えるので、３つ以上の共振点（ピーク）を有する振動特性を実現することもできる。なお、この２つ以上の錘を板ばね１７に固定することや、２つ以上のダンパを駒支持部材１３や駒１２の近傍位置に固定することも、前記各種変形例に適用可能である。
【００４０】
また、上記基本的構成例、具体的実施形態及び前記各種変形例においては、ピックアップセンサ１６をサドル１５の下面すなわち駒１２に設けるようにした。しかし、このピックアップセンサ１６は、弦１４の加振による駒１２の振動をピックアップすることができればよいので、サドル１５の下面でなくても、駒１２の近傍位置であればどこでもよい。例えば、駒１２の外周面、駒支持部材１３、ダンパなどに設けるようにしてもよい。また、複数の異なる箇所にピックアップセンサをそれぞれ設け、複数のピックアップセンサの出力を混合して用いることも可能である。特に、駒１２に設けたピックアップセンサ１６の出力と、ダンパに設けたピックアップセンサの出力とを混合して用いることで、模倣したいアコースティック弦楽器の音色に近づけることができる。これは、駒１２に設けたピックアップセンサ１６は主にアコースティック弦楽器の表板から発せられる楽器音をピックアップすることに対応し、ダンパに設けたピックアップセンサは主にアコースティック弦楽器のサウンドホールから発せられる楽器音をピックアップすることに対応するからである。
【００４１】
また、上記基本的構成例、具体的実施形態及び前記各種変形例においては、ピックアップセンサ１６として圧電素子を用いるようにしたが、このピックアップセンサ１６は駒１２付近の振動（変位、速度、加速度）をピックアップすることができればよいので、圧電素子以外の振動センサ（ピックアップセンサ）を用いることもできる。例えば、半導体式の振動センサ、静電容量型の振動センサなどを用いることもできる。
【００４２】
さらに、上記基本的構成例及び具体的実施形態では説明しなかったが、電気回路装置内にイコライジング処理回路、畳み込み演算処理回路などを設けて、ピックアップセンサ１６からの電気信号を適宜信号処理して発生するようにするとよい。これによれば、音質、音域による音量の違いに加えて、弦１４自体の減衰の速さに関連した出力信号の減衰の速さも調整できるようになる。
【符号の説明】
【００４３】
１１…胴、１１ｃ，１１ｄ…スリット、１２…駒、１３，４３，４４、４５…駒支持部材、１４…弦、１５…サドル、１６…ピックアップセンサ、１７…板ばね、１８，４７，４８…錘、４１…板材、４２…コイルばね、４６…弾性部材
【図１】
2014137418.tif 000003
【図２】
2014137418.tif 000004
【図３】
2014137418.tif 000005
【図４】
2014137418.tif 000006
【図５】
2014137418.tif 000007
【図６】
2014137418.tif 000008
【図７】
2014137418.tif 000009
【図８】
2014137418.tif 000010
【図９】
2014137418.tif 000011
【図１０】
2014137418.tif 000012
【図１１】
2014137418.tif 000013
【図１２】
2014137418.tif 000014
【図１３】
2014137418.tif 000015
【図１４】
2014137418.tif 000016
【図１５】
2014137418.tif 000017
【図１６】
2014137418.tif 000018
【図１７】
2014137418.tif 000019
【図１８】
2014137418.tif 000020
【図１９】
2014137418.tif 000021
【図２０】
2014137418.tif 000022
【図２１】
2014137418.tif 000023